【手続補正書】
【提出日】平成22年8月5日(2010.8.5)
【手続補正１】
【補正対象書類名】特許請求の範囲
【補正対象項目名】全文
【補正方法】変更
【補正の内容】
【特許請求の範囲】
【請求項１】
複数の画像の中から始点画像と終点画像とを指定する指定手段と、
前記指定手段による指定を行う範囲指定画面において、始点画像を表示するための始点画像表示領域と、終点画像を表示するための終点画像表示領域とを同時に表示する表示手段と、
前記複数の画像のうち、前記始点画像表示領域に表示される画像と前記終点画像表示領域に表示される画像との間に挟まれる全ての画像を表示できるよう制御する表示制御手段と、
前記複数の画像のうち、前記指定手段によって指定された前記始点画像と前記終点画像とに挟まれる画像を選択する選択手段と
を有することを特徴とする画像管理装置。
【請求項２】
前記表示制御手段は、前記範囲指定画面において前記複数の画像を順次表示するよう制御し、
前記指定手段は前記表示制御手段によって順次表示される画像に対して前記始点画像あるいは前記終点画像の指定をすることを特徴とする請求項１記載の画像管理装置。
【請求項３】
前記表示制御手段は、前記範囲指定画面において、前記順次表示される画像を前記始点画像表示領域に表示される画像あるいは前記終点画像表示領域に表示される画像よりも大きく表示するよう制御することを特徴とする請求項２記載の画像管理装置。
【請求項４】
前記表示制御手段は、前記範囲指定画面において前記複数の画像を、順次表示、拡大／縮小表示、複数の画像を同時に表示するマルチ再生、特定の基準に基づいた単位毎に画像を順次切り替え表示するジャンプ再生のすくなくとも１つを行うよう制御し、
前記指定手段は前記表示制御手段によって表示される画像に対して、前記始点画像あるいは前記終点画像の指定をすることを特徴とする請求項１記載の画像管理装置。
【請求項５】
前記表示制御手段は更に、前記範囲指定画面において表示されている画像が、前記始点画像表示領域に表示された画像あるいは前記終点画像表示領域に表示された画像であった場合その旨を識別可能に表示するよう制御することを特徴とする請求項２乃至４のいずれかに記載の画像管理装置。
【請求項６】
前記表示制御手段は更に、前記範囲指定画面において、前記始点画像表示領域に表示された画像と前記終点画像表示領域に表示された画像が、前記複数の画像を特定の順番で並べた場合の当該特定の順番の中で何番目の画像かを表示するよう制御することを特徴とする請求項１記載の画像管理装置。
【請求項７】
前記表示制御手段は更に、前記範囲指定画面において、前記始点画像表示領域に表示された画像と前記終点画像表示領域に表示された画像の、前記複数の画像を特定の順番で並べた場合の当該特定の順番の中での位置を示すポジションバーを表示することを特徴とする請求項１記載の画像管理装置。
【請求項８】
前記表示手段は更に、前記範囲指定画面において、前記始点画像表示領域と前記終点画像表示領域と前記画像送りによる画像表示をするための領域とを同時に表示することを特徴とする請求項２または３記載の画像管理装置。
【請求項９】
前記表示制御手段は、前記複数の画像を特定の順番で並べた場合、前記範囲指定画面において当該特定の順番で並べられた複数の画像のうち、前記始点画像表示領域に表示された画像より前の画像、または前記終点画像表示領域に表示された画像よりも後の画像を表示することが可能であることを特徴とする請求項１記載の画像管理装置。
【請求項１０】
前記表示制御手段は前記範囲指定画面において、前記始点画像表示領域に表示された画像よりも前の画像、または、前記終点画像表示領域に表示された画像よりも後の画像を表示した場合と、前記始点画像と前記終点画像が前記特定の順番の中で交差するように指定されようとした場合の少なくとも一方の場合において、前記指定手段による指定ができない旨のガイダンスを表示するよう制御することを特徴とする請求項９記載の画像管理装置。
【請求項１１】
前記指定手段は、前記範囲指定画面において、前記始点画像と前記終点画像が前記特定の順番の中で交差するように指定されようとした場合は、前記始点画像と前記終点画像を入れ替えて指定することを特徴とする請求項９記載の画像管理装置。
【請求項１２】
前記選択手段によって選択される画像を同一の処理を行う対象とすることを特徴とする請求項１記載の画像管理装置。
【請求項１３】
前記同一の処理は、消去、プロテクト、分類情報設定、送信、印刷、スライドショーのうち少なくともいずれかであることを特徴とする請求項１２記載の画像管理装置。
【請求項１４】
前記表示制御手段は、前記同一の処理が分類情報設定である場合、前記範囲指定画面における画像表示とともに、当該画像に設定された分類情報のうち前記分類情報設定で設定もしくは解除対象として選択されている分類情報を識別可能に表示することを特徴とする請求項１２記載の画像管理装置。
【請求項１５】
前記始点画像表示領域に表示される画像と前記終点画像表示領域に表示される画像との間に挟まれる画像のうち前記同一の処理の対象として有効でない画像がある場合、前記表示制御手段は、当該同一の処理の対象として有効でない画像について当該同一の処理が有効でないことを示す識別表示、または当該同一の処理の対象として有効な画像の数あるいは有効でない画像の数に関する情報の表示、または当該同一の処理の対象として有効でない画像を表示対象としない表示のうち少なくともいずれかを行うよう制御することを特徴とする請求項１２記載の画像処理装置。
【請求項１６】
複数の画像の中から始点画像と終点画像とを指定する指定工程と、
前記指定工程による指定を行う範囲指定画面において、始点画像を表示するための始点画像表示領域と、終点画像を表示するための終点画像表示領域とを同時に表示する表示工程と、
前記複数の画像のうち、前記始点画像表示領域に表示される画像と前記終点画像表示領域に表示される画像との間に挟まれる全ての画像を表示できるよう制御する表示制御工程と、
前記複数の画像のうち、前記指定工程によって指定された前記始点画像と前記終点画像とに挟まれる画像を選択する選択工程と
を有することを特徴とする画像管理装置の制御方法。
【請求項１７】
コンピュータを、
複数の画像の中から始点画像と終点画像とを指定する指定手段、
前記指定手段による指定を行う範囲指定画面において、始点画像を表示するための始点画像表示領域と、終点画像を表示するための終点画像表示領域とを同時に表示する表示手段、
前記複数の画像のうち、前記始点画像表示領域に表示される画像と前記終点画像表示領域に表示される画像との間に挟まれる全ての画像を表示できるよう制御する表示制御手段、
前記複数の画像のうち、前記指定手段によって指定された前記始点画像と前記終点画像とに挟まれる画像を選択する選択手段と
として機能させることを特徴とするプログラム。
【請求項１８】
コンピュータを、
複数の画像の中から始点画像と終点画像とを指定する指定手段、
前記指定手段による指定を行う範囲指定画面において、始点画像を表示するための始点画像表示領域と、終点画像を表示するための終点画像表示領域とを同時に表示する表示手段、
前記複数の画像のうち、前記始点画像表示領域に表示される画像と前記終点画像表示領域に表示される画像との間に挟まれる全ての画像を表示できるよう制御する表示制御手段、
前記複数の画像のうち、前記指定手段によって指定された前記始点画像と前記終点画像とに挟まれる画像を選択する選択手段と
として機能させることを特徴とするプログラムを記録したコンピュータが読み取り可能な記録媒体。
【手続補正２】
【補正対象書類名】明細書
【補正対象項目名】発明の名称
【補正方法】変更
【補正の内容】
【発明の名称】画像管理装置およびその制御方法